(57)【要約】【課題】ズーミングの際の操作音を、抑制可能なレンズ鏡筒及び撮像装置を提供することを目的とする。【解決手段】複数の静電電極７１を備える第一のタッチセンサ４１を、レンズ鏡筒２１の外周面或いは内周面に沿って配置したものであり、これにより、ズーミングの際にレンズ鏡筒２１に外部から荷重をかけることなく操作できるため、ズーミングの際の操作音を抑制可能なレンズ鏡筒２１及びこれを用いた撮像装置１００を提供しうる。【選択図】図１
2014089280.tif 000002
【特許請求の範囲】
【請求項１】
光軸方向に移動可能な複数のレンズを備えたレンズ鏡筒において、前記レンズ鏡筒は、前記レンズ鏡筒の外周面或いは内周面に沿って配置された第一のタッチセンサを備え、前記第一のタッチセンサは並んで配置された複数の静電電極を備え、前記第一のタッチセンサは前記レンズを光軸方向に移動させるズーミングの操作に用いられるレンズ鏡筒。
【請求項２】
前記第一のタッチセンサは前記レンズ鏡筒の全周或いは一部を周回させ配置された請求項１記載のレンズ鏡筒。
【請求項３】
さらに複数の静電電極が並んで配置された第二のタッチセンサを備え、前記第二のタッチセンサは前記レンズ鏡筒の全周或いは一部を周回して配置された請求項１記載のレンズ鏡筒。
【請求項４】
前記第一のタッチセンサをレンズ鏡筒の光軸に沿った方向に配置した請求項１記載のレンズ鏡筒。
【請求項５】
前記第一のタッチセンサは、少なくとも、表面に凹凸を備えるか或いは照光機能を備えた請求項１記載のレンズ鏡筒。
【請求項６】
前記ズーミングの操作の際に、前記第一のタッチセンサにより二本の指の接触或いは近接を検出し、指の間隔を広げる操作をした場合は望遠側に制御し、指の間隔を狭くする操作をした場合は広角側に制御する請求項１記載のレンズ鏡筒。
【請求項７】
光軸方向に移動可能な複数のレンズを備えたレンズ鏡筒と、前記レンズ鏡筒に固定されるカメラ本体を備え、前記レンズ鏡筒は、前記レンズ鏡筒の外周面或いは内周面に沿って配置された第一のタッチセンサを備え、前記第一のタッチセンサは並んで配置された複数の静電電極を備え、前記第一のタッチセンサは前記レンズを光軸方向に移動させるズーミングの操作に用いられる撮像装置。
【発明の詳細な説明】
【技術分野】
【０００１】
本発明は、主にレンズ鏡筒を操作してズーミング等を行う撮像装置に関するものである。
【背景技術】
【０００２】
近年、被写体の画像をデジタルデータとして保存する撮像装置が普及している。撮像装置には、例えば交換可能なレンズ鏡筒をカメラ本体に組み合わせた一眼レフカメラや、レンズ鏡筒とカメラ本体が一体となったレンズ一体型カメラがある。
【０００３】
このような撮像装置では、安定した保持状態で操作性が良いものが求められている。
【０００４】
このような従来の撮像装置２０について、図６を用いて説明する。
【０００５】
同図は従来の撮像装置２０の斜視図である。撮像装置２０は、レンズ鏡筒１とカメラ本体２を備え、静止画撮影及び動画撮影が可能な一眼レフカメラである。
【０００６】
撮像装置２０の保持状態を検出するために、レンズ鏡筒１にはタッチセンサ５が配置され、カメラ本体２の背面にはタッチセンサ６が配置される。
【０００７】
静止画撮影をおこなう場合には、手ぶれなどを防止するため、右手でカメラ本体２を保持し、左手でレンズ鏡筒１を保持する形態が好適となる。このように撮像装置２０を保持すると、操作者の指はタッチセンサ６に接触する。この撮像装置２０は、電源投入時にタッチセンサ６が指の接触を検知していれば、スチル撮影モードで撮像装置２０を起動する。
【０００８】
一方、撮像装置２０では、レンズ鏡筒１の重量のため重心が前方寄りになるので、動画撮影の際は、片手でレンズ鏡筒を下から支持するような保持形態が好適となる。このように撮像装置２０を保持すると、操作者の指はタッチセンサ５に接触する。この撮像装置２０は、電源投入時にタッチセンサ５が指の接触を検知していれば、動画撮影モードで撮像装置２０を起動する。
【０００９】
つまり、撮像装置２０は、安定した保持状態を保ったまま静止画撮影と動画撮影の切り替えが可能なものであった。
【００１０】
なお、この出願の発明に関連する先行技術文献情報としては、例えば、特許文献１が知られている。
【先行技術文献】
【特許文献】
【００１１】
【特許文献１】特開２０１０−４２１７号公報
【発明の概要】
【発明が解決しようとする課題】
【００１２】
しかしながら、上記従来の撮像装置においては、静止画撮影と動画撮影の切り替えは容易に可能であるが、動画撮影時にズーミングを行うと、回転操作による雑音が動画ファイル内の音声へ混入する怖れがあった。
【００１３】
本発明は、このような従来の課題を解決するものであり、ズーミングの際の操作音を抑制したレンズ鏡筒及び撮像装置を提供することを目的とする。
【課題を解決するための手段】
【００１４】
上記目的を達成するために本発明のレンズ鏡筒は、レンズ鏡筒の外周面或いは内周面に沿って配置された第一のタッチセンサを備え、第一のタッチセンサは並んで配置された複数の静電電極を備え、レンズを光軸方向に移動させるズーミングの操作に用いられる。
【発明の効果】
【００１５】
以上のように本発明によれば、レンズ鏡筒の外周面或いは内周面に沿って配置された第一のタッチセンサを備え、第一のタッチセンサは並んで配置された複数の静電電極を備え、レンズを光軸方向に移動させるズーミングの操作に用いられる。これによりズーミングの際にレンズ鏡筒に外部から荷重をかけることなく操作することが可能になり、操作音を抑制することが可能なレンズ鏡筒及びこれを用いた撮像装置を提供しうる。
【図面の簡単な説明】
【００１６】
【図１】本発明の一実施の形態による撮像装置の斜視図
【図２】同撮像装置のシステム構成を示すブロック図
【図３】同撮像装置に用いる第一のタッチセンサ或いは第二のタッチセンサの展開図
【図４】本発明の他の実施の形態による撮像装置の斜視図
【図５】本発明の他の実施の形態による撮像装置の斜視透視図
【図６】従来の撮像装置の斜視図
【発明を実施するための形態】
【００１７】
以下、本発明の実施の形態について、図１〜図５を用いて説明する。
【００１８】
（実施の形態）
図１は本発明の一実施の形態による撮像装置１００の斜視図である。図２は撮像装置１００のシステム構成を示すブロック図である。
【００１９】
ここで、撮像装置１００は、レンズ鏡筒２１とカメラ本体２２を備えた一眼レフカメラである。
【００２０】
レンズ鏡筒２１は撮像画像を拡大或いは縮小するズーミングの際に機能するズーム部３１と、撮像画像のピント位置を変化させるフォーカスの際に機能するフォーカス部３２を有する。
【００２１】
ズーム部３１は、第一のタッチセンサ４１と、ズーム制御部４２と、ズームレンズ駆動部４３と、第一のレンズ４４と、第二のレンズ４５を備える。
【００２２】
さらに、カメラ本体２２は、撮像部６１と、本体制御部６２と、ディスプレイ部６３を備える。
【００２３】
図３は第一のタッチセンサ４１或いは第二のタッチセンサ５１の展開図である。一例として、第一のタッチセンサ４１と第二のタッチセンサ５１は同じ形状の場合として、一つの図面で示している。
【００２４】
ここで、第一のタッチセンサ４１は複数の静電電極７１と、静電電極７１から延出した複数の配線７２を備える。複数の静電電極７１は帯状で並んで配置される。それぞれの静電電極７１は静電容量の変化により操作者の指を検出可能なものである。例えば、操作者が右から左へ第一のタッチセンサ４１の表面をスライド操作すると、それぞれの静電電極７１の静電容量が変化し、操作者の指の移動を検出可能なものとなっている。なお、これらの配線７２はズーム制御部４２に接続され、静電容量の変化を静電容量信号Ｓｇ１として送る。
【００２５】
ズーム制御部４２はＩＣ（Ｉｎｔｅｇｒａｔｅｄ  Ｃｉｒｃｕｉｔ）等の半導体素子等で構成される。ズーム制御部４２は第一のタッチセンサ４１から入力された静電容量信号Ｓｇ１により、第一のタッチセンサ４１に対する接触有無及び指のスライド方向を判定する。また、ズーム制御部４２は本体制御部６２に接続され、操作者の第一のタッチセンサ４１に対する操作に対応した焦点距離信号Ｓｇ２を本体制御部６２に送る。焦点距離信号Ｓｇ２とは、レンズ鏡筒２１の焦点距離が１４ｍｍ〜４２ｍｍであれば、１４ｍｍ〜４２ｍｍの間で操作者がレンズ鏡筒２１をズーミング操作することで変化する焦点距離を示す信号である。また、ズーム制御部４２はズームレンズ駆動部４３に接続され、ズーム制御信号Ｓｇ３をズームレンズ駆動部４３に送る。
【００２６】
ズームレンズ駆動部４３は例えばステッピングモータ等で構成される。ズームレンズ駆動部４３は、第一のレンズ４４と第二のレンズ４５を、光軸方向Ｓに沿って移動させる。そして、第一のレンズ４４と第二のレンズ４５の間隔を変化させることで、ズーム制御信号Ｓｇ３に対応した焦点距離を実現する。なお、ズームレンズ駆動部４３が位置センサを備え、第一のレンズ４４と第二のレンズ４５の位置を検出し、第一のレンズ４４と第二のレンズ４５の位置をフィードバック制御により制御しても良い。
【００２７】
次に、フォーカス部３２は、第二のタッチセンサ５１と、フォーカス制御部５２と、フォーカスレンズ駆動部５３と、ＡＦ（Ａｕｔｏ  Ｆｏｃｕｓ）／ＭＦ（Ｍａｎｕａｌ  Ｆｏｃｕｓ）切替部５４と、第三のレンズ５５を備える。
【００２８】
ここで、第二のタッチセンサ５１は、例えば、第一のタッチセンサ４１と同様に図３で示す形状を備える。
【００２９】
つまり、第二のタッチセンサ５１は、複数の静電電極８１を有し、静電電極８１からは、配線８２が延出する。複数の静電電極８１は帯状で並んで配置される。それぞれの静電電極８１は静電容量の変化により操作者の指を検出可能なものである。例えば、操作者が右から左へ第二のタッチセンサ５１の表面をスライド操作すると、それぞれの静電電極８１の静電容量が変化し、操作者の指の移動を検出可能なものとなっている。なお、これらの配線８２はフォーカス制御部５２に接続され、静電容量の変化を静電容量信号Ｓｇ１１として送る。
【００３０】
第一のタッチセンサ４１と第二のタッチセンサ５１は、レンズ鏡筒２１の外周面に、レンズ鏡筒２１を周回して並んで配置される。このように、レンズ鏡筒２１を周回して、操作者が指をスライド操作しやすい方向に配置されている為、安定して保持したまま撮像することが可能となる。
【００３１】
また、第一のタッチセンサ４１と第二のタッチセンサ５１はそれぞれ静電電極７１、静電電極８１を備えて構成されるため、指を軽く接触させるか或いは近接させるだけで操作することが可能である。これにより例えば、ズーミングやフォーカスの際にレンズ鏡筒２１に外部から荷重をかけることなく操作することが可能で、回転操作やスイッチ操作等による操作音の発生が抑制され、動画撮影を行っている場合であっても、動画ファイル内の音声へ雑音等が混入し難くなる。
【００３２】
フォーカス制御部５２は例えばＩＣ等の半導体素子で構成される。フォーカス制御部５２は、ＡＦ／ＭＦ切替部５４からの切替信号Ｓｇ１２により、オートフォーカス制御モード或いはマニュアルフォーカス制御モードの二つの制御モードで切り替えられる。なお、ＡＦ／ＭＦ切替部５４は、レンズ鏡筒２１の側面に配置されたスイッチである。ＡＦ／ＭＦ切替部５４はＡＦ位置とＭＦ位置の二箇所の位置へ切替可能でＡＦ／ＭＦ切替部５４は、ＡＦ位置或いはＭＦ位置に設定されているかで異なる切替信号Ｓｇ１２をフォーカス制御部５２に出力する。
【００３３】
ここで、マニュアルフォーカス制御モードでは、第二のタッチセンサ５１から入力された静電容量信号Ｓｇ１１により、第二のタッチセンサ５１に対する接触有無及び指のスライド方向を判定する。そして、フォーカスレンズ制御信号Ｓｇ１３をフォーカスレンズ駆動部５３へ送る。
【００３４】
一方、オートフォーカス制御モードでは、フォーカス制御部５２に接続された本体制御部６２からオートフォーカス制御信号Ｓｇ１４が入力される。オートフォーカス制御信号Ｓｇ１４は、例えば第三のレンズ５５の移動方向を指示する信号である。そして、フォーカス制御部５２は、オートフォーカス制御信号Ｓｇ１４に基づきフォーカスレンズ制御信号Ｓｇ１３をフォーカスレンズ駆動部５３へ送る。
【００３５】
フォーカスレンズ駆動部５３は例えばステッピングモータ等で構成される。フォーカスレンズ駆動部５３は第三のレンズ５５を光軸方向Ｓに沿って移動させる。そして、第三のレンズ５５の移動によりピントが変化する。なお、フォーカスレンズ駆動部５３が位置センサを備え、第三のレンズ５５の位置を検出し、第三のレンズ５５の位置をフィードバック制御により制御しても良い。
【００３６】
次に、カメラ本体２２において、撮像部６１は、例えばＣＣＤ（Ｃｈａｒｇｅｄ  Ｃｏｕｐｌｅｄ  Ｄｅｖｉｃｅ）イメージセンサ等の半導体素子で、被写体の画像信号Ｓｇ２１を取得する。画像信号Ｓｇ２１は撮像部６１に接続された本体制御部６２に送られる。
【００３７】
本体制御部６２は、例えばマイコンやプログラマブルロジックデバイス（ｐｒｏｇｒａｍａｂｌｅ  ｌｏｇｉｃ  ｄｅｖｉｃｅ）等の半導体素子を備えて構成される。本体制御部６２は、撮像部６１から画像信号Ｓｇ２１が入力され、ズーム制御部４２から焦点距離信号Ｓｇ２が入力される。そして、画像信号Ｓｇ２１や焦点距離信号Ｓｇ２を基に生成した表示信号Ｓｇ２２をディスプレイ部６３に出力する。また、オートフォーカス制御モードでは、被写体に対しピントが前に合っているか後ろに合っているか画像信号Ｓｇ２１を基に判定し、フォーカス制御部５２へオートフォーカス制御信号Ｓｇ１４を出力する。
【００３８】
ディスプレイ部６３は、例えば液晶ディスプレイや有機ＥＬ（Ｅｌｅｃｔｒｏ−Ｌｕｍｉｎｅｓｃｅｎｃｅ）ディスプレイ等の映像を表示する装置である。ここで、ディスプレイ部６３は本体制御部６２から入力された表示信号Ｓｇ２２に基づいて、被写体の画像や焦点距離の設定等を表示する。
【００３９】
このように構成された撮像装置１００において、操作者がズーミングを行う場合には、操作者は第一のタッチセンサ４１の上面に指でスライドさせる。操作者が第一のタッチセンサ４１を操作すると、ズーム制御部４２がズームレンズ駆動部４３を制御して、第一のレンズ４４と第二のレンズ４５の間隔を変化させる。これにより、第一のタッチセンサ４１のスライド方向に合った焦点距離の変化が得られる。
【００４０】
この時の操作方向は、例えば時計回転方向に指をスライド操作すると望遠側（焦点距離が大きくなる方向）で、反時計回転方向に指をスライド操作すると広角側（焦点距離が小さくなる方向）である。つまり、時計回転方向に指をスライド操作するとディスプレイ部６３の表示が拡大され表示される画角が狭くなり、反時計回転方向に指をスライド操作するとディスプレイ部６３の表示が縮小され表示される画角が広くなる。
【００４１】
なお、第一のタッチセンサ４１に親指と人差し指など二本の指を接触させ、指の間隔を広げる操作（ピンチアウト）を行った場合に望遠側に変化し、指の間隔を狭くする操作（ピンチイン）を行った場合に広角側に変化させても良い。第一のタッチセンサ４１は静電センサを使用しているので、二本の指の検出が可能である。ここで、操作者が指の間隔を広げればディスプレイ部６３の表示が拡大され表示される画角が狭くなり、指の間隔を狭くすればディスプレイ部６３の表示が縮小され表示される画角が広くなる。これにより、操作者の直感に則したズーミング操作が可能となる。
【００４２】
また、マニュアルフォーカス制御モードで、操作者が第二のタッチセンサ５１の上面を指でスライド操作すると、フォーカス制御部５２がフォーカスレンズ駆動部５３を制御して、第三のレンズ５５を移動させる。これにより、第二のタッチセンサ５１のスライド方向に合ったピント位置の変化が得られる。なお、第二のタッチセンサ５１の操作方向は、例えば時計回転方向に指をスライド操作するとピント位置が後方になり、反時計回転方向に指をスライド操作するとピント位置が前方になる。
【００４３】
一方、オートフォーカス制御モードでは、本体制御部６２がフォーカス制御信号によりフォーカス制御部５２及びフォーカスレンズ駆動部５３を制御し、第三のレンズ５５を移動させる。本体制御部６２は、撮像部６１から入力された画像信号を基に最適なピント位置を判定し、第三のレンズ５５を移動させる。
【００４４】
なお、上述の説明では、レンズ鏡筒２１が交換可能な一眼レフカメラを例に取り説明したが、レンズ鏡筒２１とカメラ本体２２が一体となったレンズ一体型カメラでも本発明は実施できる。
【００４５】
また、ズーム制御部４２やフォーカス制御部５２はカメラ本体２２側に備えても良いし、本体制御部６２がその機能を備えても良い。なお、一眼レフカメラの場合は、ズーム制御部４２やフォーカス制御部５２はレンズ鏡筒２１側に備えるのが好ましい。第一のタッチセンサ４１或いは第二のタッチセンサ５１からの配線７２、８２がレンズ鏡筒２１とカメラ本体２２の間を跨ぐと、静電容量の検出精度が低下するおそれがある為である。
【００４６】
さらに、第一のタッチセンサ４１や第二のタッチセンサ５１の表面に凹凸を設けて操作者が触覚により位置を判別可能にしたり、或いは第一のタッチセンサ４１や第二のタッチセンサ５１に照光機能を備えさせても良い。これにより暗い場所で撮像装置を操作する場合でも、容易に第一のタッチセンサ４１や第二のタッチセンサ５１の位置を認識しうる。
【００４７】
また、第二のタッチセンサ５１は必ずしも必要ではなく、第一のタッチセンサ４１だけでもズーミングは可能であり、本発明は実施しうる。
【００４８】
また、第一のタッチセンサ４１と第二のタッチセンサ５１の配置関係は上述の説明と逆側でも良い。つまり、第一のタッチセンサ４１として説明した位置に第二のタッチセンサ５１が配置され、第二のタッチセンサ５１として説明した位置に第一のタッチセンサ４１が配置されていても良い。
【００４９】
また、図３に示した第一のタッチセンサ４１、第二のタッチセンサ５１では、静電電極７１、８１の形状は台形をしており、左右方向の操作だけでなく前後方向の操作も検出できる。つまり、図３に示した第一のタッチセンサ４１、第二のタッチセンサ５１は二次元の操作を検出可能である。例えば、図３の第一のタッチセンサ４１、第二のタッチセンサ５１を用いた場合（二次元の操作を検出可能であれば図３で示した形状に限るものではない）には、矢印９１の方向に左右に指をスライド操作した場合には、スローフォーカス或いはスローズーミングさせ、矢印９２の方向に左右に指をスライド操作した場合には、ファーストフォーカス或いはファーストズーミングさせても良い。なお、スローフォーカス／ファーストフォーカスは相対的なフォーカス速度の遅い／速いを示すもので、スローズーミング／ファーストズーミングは相対的なズーミング速度の遅い／速いを示すものである。なお、光軸方向Ｓに対する矢印９１、９２の配置はいずれが、カメラ本体２２側であっても良い。
【００５０】
さらに、第一のタッチセンサ４１と第二のタッチセンサ５１は機能を共用しても良い。つまり、第一のタッチセンサ４１と第二のタッチセンサ５１は一枚のタッチセンサで両方の機能を実現しても良い。図３の矢印９１、９２の方向のスライド操作を別々に検出可能であれば、第一のタッチセンサ４１と第二のタッチセンサ５１を共用することは可能である。この場合、例えば矢印９１の方向のスライド操作をフォーカス、矢印９２の方向のスライド操作をズーミングと使い分けることができる。さらに、二次元の操作を検出可能であれば、矢印９３の方向のスライド操作をフォーカス或いはズーミングのいずれかに割り当てることができる。
【００５１】
なお、ズーミングの際に移動するレンズは一つでも複数でも良く、少なくとも一つのレンズが光軸方向Ｓに移動すれば良い。また、フォーカスの際には必ずしもレンズが移動する必要はなく、光軸方向Ｓに対する傾きが変化するだけでも良い。
【００５２】
図４は本発明の他の実施の形態による撮像装置２００、３００、４００の斜視図である。また、図５は本発明の他の実施の形態による撮像装置５００の斜視透視図である。
【００５３】
撮像装置２００、３００、４００、５００は第一のタッチセンサと第二のタッチセンサの配置を変えたもので、第一のタッチセンサと第二のタッチセンサの配置を除きその他の構成は撮像装置１００と同様である。
【００５４】
図４（ａ）において、撮像装置２００はレンズ鏡筒１２１とカメラ本体１２２を備える。ここで、第一のタッチセンサ１４１はレンズ鏡筒１２１の外周面の下側に配置され、第二のタッチセンサ１５１はレンズ鏡筒１２１の外周面の上側に配置される。この撮像装置２００の操作において、操作者は第一のタッチセンサ１４１の表面を左右にスライド操作してズーミングを行う。例えば第一のタッチセンサ１４１の表面を右方向に指でスライド操作するとズーミングが望遠側に制御され、左方向にスライド操作するとズーミングが広角側に制御される。また、操作者が第二のタッチセンサ１５１の表面を左右にスライド操作すると、マニュアルフォーカス制御モードでフォーカスが行われる。例えば第二のタッチセンサ１５１の表面を右方向に指でスライド操作するとピントが前側に変化し、左方向にスライド操作するとピントが後側に変化するよう制御される。
【００５５】
撮像装置２００は撮像装置１００と比較し、第一のタッチセンサ１４１や第二のタッチセンサ１５１を幅広に配置できる為、操作者の手の大きさに関わらず、操作しやすい位置をスライド操作することができるという利点がある。
【００５６】
図４（ｂ）において、撮像装置３００はレンズ鏡筒２２１とカメラ本体２２２を備える。ここで、第一のタッチセンサ２４１と第二のタッチセンサ２５１はレンズ鏡筒２２１の外周面の下側に並んで配置される。この撮像装置３００の操作において、操作者は第一のタッチセンサ２４１の表面を左右にスライド操作してズーミングを行う。例えば第一のタッチセンサ２４１の表面を右方向に指でスライド操作するとズーミングが望遠側に制御され、左方向にスライド操作するとズーミングが広角側に制御される。また、操作者が第二のタッチセンサ２５１の表面を左右にスライド操作すると、マニュアルフォーカス制御モードでフォーカスが行われる。例えば第二のタッチセンサ２５１の表面を右方向に指でスライド操作するとピントが前側に変化し、左方向にスライド操作するとピントが後側に制御される。
【００５７】
撮像装置３００は撮像装置１００と比較し、第一のタッチセンサ２４１及び第二のタッチセンサ２５１の配置された領域が狭い為、レンズ鏡筒２２１の上面に誤って指が接触した場合にも第一のタッチセンサ２４１及び第二のタッチセンサ２５１で検出されないので、ズーミング状態やピント位置がずれるおそれが小さいという利点がある。
【００５８】
図４（ｃ）において、撮像装置４００はレンズ鏡筒３２１とカメラ本体３２２を備える。ここで、第一のタッチセンサ３４１はレンズ鏡筒３２１の外周面を周回して配置され、第二のタッチセンサ３５１はレンズ鏡筒３２１の外周面の下側に光軸方向Ｓと平行に配置される。この撮像装置４００の操作において、操作者は第一のタッチセンサ３４１の表面を時計回転或いは反時計回転方向にスライド操作してズーミングを行う。例えば第一のタッチセンサ３４１の表面を時計回転方向に指でスライド操作するとズーミングが望遠側に制御され、反時計回転方向にスライド操作するとズーミングが広角側に制御される。また、操作者が第二のタッチセンサ３５１の表面を前後にスライド操作すると、マニュアルフォーカス制御モードでフォーカスが行われる。例えば第二のタッチセンサ３５１の表面を操作者に対し手前方向に指でスライド操作するとピントが前側に変化し、操作者に対し奥側の方向にスライド操作するとピントが後側に制御される。
【００５９】
撮像装置４００は撮像装置１００と比較し、第二のタッチセンサ３５１のピント制御を直感に合った状態で行える為、操作ミスを防ぐことができるという利点がある。
【００６０】
また、図５において、撮像装置５００はレンズ鏡筒４２１とカメラ本体４２２を備える。ここで、第一のタッチセンサ４４１と第二のタッチセンサ４５１はレンズ鏡筒４２１の内周面に沿って並んで配置される。レンズ鏡筒４２１の内周面に沿って配置しても外周面に沿って配置した場合と同様の効果が得られる。
【００６１】
なお、撮像装置２００、３００、４００、５００においても、第一のタッチセンサと第二のタッチセンサの配置関係は上述の説明と逆側でも良い。
【００６２】
このように本実施の形態によれば、レンズ鏡筒２１、４２１は、レンズ鏡筒２１、４２１の外周面或いは内周面に沿って配置された第一のタッチセンサ４１、４４１を備え、第一のタッチセンサ４１、４４１は並んで配置された複数の静電電極７１を備え、第一のタッチセンサ４１、４４１は第一のレンズ４４或いは第二のレンズ４５を光軸方向に移動させるズーミングの操作に用いられる。これによりズーミングの際にレンズ鏡筒に外部から荷重をかけることなく操作することが可能になり、操作音を抑制可能なレンズ鏡筒２１、４２１及びこれを用いた撮像装置１００、５００を提供しうる。
【００６３】
また、第一のタッチセンサ４１はレンズ鏡筒２１の全周或いは一部を周回させ、操作者が指をスライド操作しやすい方向に配置されている為、より安定して保持したまま撮像することが可能となる。
【００６４】
さらに、第二のタッチセンサ５１をレンズ鏡筒２１の全周或いは一部を周回させ、操作者が指をスライド操作しやすい方向に配置されている為、安定して保持したままフォーカスを行うことが可能となる。
【００６５】
また、第一のタッチセンサ４１或いは第二のタッチセンサ５１をレンズ鏡筒２１の光軸に沿った方向に配置した場合は、直感的に理解し易い操作が可能となる。
【００６６】
そして、第一のタッチセンサ４１或いは第二のタッチセンサ５１に対し、凹凸を配置するか或いは照光機能を備えさせることにより、暗い場所でも操作可能となる。
【００６７】
また、ズーミングの操作の際に、第一のタッチセンサ４１により二本の指の接触或いは近接を検出し、指の間隔を広げる操作をした場合は望遠側に制御し、指の間隔を狭くする操作をした場合は広角側に制御するため、操作者の直感に則した制御が可能となる。
【産業上の利用可能性】
【００６８】
本発明によるレンズ鏡筒及びこれを用いた撮像装置は、ズーミングの際にも操作音を抑制可能なレンズ鏡筒及び撮像装置を提供しうるという有利な効果を有する。
【符号の説明】
【００６９】
２１、１２１、２２１、３２１、４２１  レンズ鏡筒
２２、１２２、２２２、３２２、４２２  カメラ本体
３１  ズーム部
３２  フォーカス部
４１、１４１、２４１、３４１、４４１  第一のタッチセンサ
４２  ズーム制御部
４３  ズームレンズ駆動部
４４  第一のレンズ
４５  第二のレンズ
５１、１５１、２５１、３５１、４５１  第二のタッチセンサ
５２  フォーカス制御部
５３  フォーカスレンズ駆動部
５４  ＡＦ／ＭＦ切替部
５５  第三のレンズ
６１  撮像部
６２  本体制御部
６３  ディスプレイ部
７１、８１  静電電極
７２、８２  配線
９１、９２、９３  矢印
１００、２００、３００、４００、５００  撮像装置
【図１】
2014089280.tif 000003
【図２】
2014089280.tif 000004
【図３】
2014089280.tif 000005
【図４】
2014089280.tif 000006
【図５】
2014089280.tif 000007
【図６】
2014089280.tif 000008